(57)【要約】【課題】使用条件に適した音場を簡便に設定するカラオケ装置を提供する。【解決手段】マイクロフォン４８から入力される歌唱者の音声の周波数解析を行うことで、その音声の周波数特性を算出する音声周波数特性算出手段８０と、出力周波数特性設定手段８２により設定された演奏出力に係る周波数特性を、歌唱者の音声に対応して音声周波数特性算出手段８０により算出されたその音声の周波数特性に基づいて補正する出力周波数特性補正手段８４とを、備えたものであることから、楽曲の演奏出力に際して、マイクロフォン４８から入力される歌唱者の音声を加味してその楽曲の演奏出力に係る周波数特性を設定することができる。【選択図】図２
2014071138.tif 000002
【特許請求の範囲】
【請求項１】
多数の楽曲のうちから選択される楽曲の演奏出力を行うと共に、音声入力装置から入力される音声を増幅して出力させるカラオケ装置であって、
前記楽曲の演奏出力に係る周波数特性として、その演奏出力に係る複数の周波数帯域毎のゲインを設定する出力周波数特性設定手段と、
前記音声入力装置から入力される歌唱者の音声の周波数解析を行うことで、該音声の周波数特性として、該音声の複数の周波数帯域毎の音圧レベルを算出する音声周波数特性算出手段と、
前記出力周波数特性設定手段により設定された前記楽曲の演奏出力に係る周波数特性を、該楽曲の歌唱者の音声に対応して前記音声周波数特性算出手段により算出された該音声の周波数特性に基づいて補正する出力周波数特性補正手段と
を、備えたものであることを特徴とするカラオケ装置。
【請求項２】
前記音声周波数特性算出手段により算出された音声の周波数特性を、該音声に対応する歌唱者と対応付けてデータベースに記憶させるものであり、
前記出力周波数特性補正手段は、前記楽曲の演奏出力に際して、前記出力周波数特性設定手段により設定された周波数特性を、該楽曲の歌唱者に対応して前記データベースに記憶された該歌唱者の音声の周波数特性に基づいて補正するものである
請求項１に記載のカラオケ装置。
【請求項３】
前記出力周波数特性補正手段は、前記出力周波数特性設定手段により設定された演奏出力に係るゲインが相対的に大きい周波数帯域が、該楽曲の歌唱者の音声の音圧レベルが相対的に大きい周波数帯域に相当する場合には、該周波数帯域における演奏出力のゲインを低下させる補正を行うものである請求項１又は２に記載のカラオケ装置。
【請求項４】
前記出力周波数特性補正手段は、前記出力周波数特性設定手段により設定された演奏出力に係るゲインが相対的に小さい周波数帯域が、該楽曲の歌唱者の音声の音圧レベルが相対的に小さい周波数帯域に相当する場合には、該周波数帯域における演奏出力のゲインを増加させる補正を行うものである請求項１から３の何れか１項に記載のカラオケ装置。
【請求項５】
前記出力周波数特性設定手段は、前記カラオケ装置が利用される環境において該カラオケ装置から出力された音情報を前記音声入力装置により集音し、該音情報の複数の周波数帯域毎の音圧レベルが予め定められた推奨周波数特性と一致するように前記演奏出力に係る周波数特性を設定するものである請求項１から４の何れか１項に記載のカラオケ装置。
【請求項６】
前記楽曲の演奏出力の進行に応じて経時的に変化する複数の周波数帯域毎の音圧レベルを算出する楽曲周波数特性算出手段を備え、
前記出力周波数特性補正手段は、前記出力周波数特性設定手段により設定された前記楽曲の演奏出力に係る周波数特性を、該楽曲の歌唱者の音声に対応して前記音声周波数特性算出手段により算出された該音声の周波数特性及び該楽曲に対応して前記楽曲周波数特性算出手段により算出された周波数特性に基づいて補正するものである
請求項１から５の何れか１項に記載のカラオケ装置。
【発明の詳細な説明】
【技術分野】
【０００１】
本発明は、多数の楽曲のうちから選択される楽曲の演奏出力を行うカラオケ装置に関し、特に、使用条件に適した音場を簡便に設定する機能に関する。
【背景技術】
【０００２】
多数の楽曲のうちから選択される楽曲を出力させると共に、音声入力装置から入力される音声情報を増幅して出力させるカラオケ装置が知られている。斯かるカラオケ装置によれば、予め記憶装置に記憶された多数のカラオケ演奏曲からリモコン装置等により選択（選曲）されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、前記カラオケ装置から出力される音の聞こえ方は、そのカラオケ装置が設置されている部屋の広さ、形、壁の材質等に応じて変化する。そこで、設置場所に応じて最適な音場を設定できる機能を備えたカラオケ装置が提案されている。例えば、特許文献１に記載された音楽再生装置がそれである。この技術によれば、カラオケ装置が利用される環境においてそのカラオケ装置から出力された音情報を集音し、集音された音情報を周波数解析してその周波数特性を算出するＤＳＰ周波数解析器と、そのＤＳＰ周波数解析器により算出されるカラオケ装置から出力されたピンクノイズの周波数特性が予め定められた推奨周波数特性と一致するようにその出力特性を自動変更するＤＳＰとを含むことから、音響に関する専門的な知識を一切要することなく、使用条件に適した音場を設定することができる。
【先行技術文献】
【特許文献】
【０００４】
【特許文献１】特開２００４−３１８０７５号公報
【発明の概要】
【発明が解決しようとする課題】
【０００５】
しかし、一般的なカラオケ装置においては、楽曲データに基づいて演奏出力される演奏音と、音声入力装置から入力される歌唱者の音声とがミキシングされてスピーカから出力されるため、前記従来の技術では、その歌唱者の音声の周波数特性によっては前記カラオケ装置から出力される音（演奏音及び歌唱音声の合成音）の聞こえ方が必ずしも最適とはならないことが考えられる。例えば、前述のようにして設定された前記楽曲の演奏出力に係る周波数特性と、音声入力装置から入力される歌唱者の音声の周波数特性とで、相対的に大きい周波数帯域が重なってしまうと、その周波数帯域の音が耳に障る等して逆に聞きづらくなってしまうおそれがある。前記従来の技術では、斯かる不具合を解消することができなかった。このような課題は、カラオケ装置の更なる使用性向上を意図して本発明者等が鋭意研究を継続する過程において新たに見出したものである。
【０００６】
本発明は、以上の事情を背景として為されたものであり、その目的とするところは、使用条件に適した音場を簡便に設定するカラオケ装置を提供することにある。
【課題を解決するための手段】
【０００７】
斯かる目的を達成するために、本発明の要旨とするところは、多数の楽曲のうちから選択される楽曲の演奏出力を行うと共に、音声入力装置から入力される音声を増幅して出力させるカラオケ装置であって、前記楽曲の演奏出力に係る周波数特性として、その演奏出力に係る複数の周波数帯域毎のゲインを設定する出力周波数特性設定手段と、前記音声入力装置から入力される歌唱者の音声の周波数解析を行うことで、その音声の周波数特性として、その音声の複数の周波数帯域毎の音圧レベルを算出する音声周波数特性算出手段と、前記出力周波数特性設定手段により設定された前記楽曲の演奏出力に係る周波数特性を、その楽曲の歌唱者の音声に対応して前記音声周波数特性算出手段により算出されたその音声の周波数特性に基づいて補正する出力周波数特性補正手段とを、備えたことを特徴とするものである。
【発明の効果】
【０００８】
このようにすれば、前記楽曲の演奏出力に係る周波数特性として、その演奏出力に係る複数の周波数帯域毎のゲインを設定する出力周波数特性設定手段と、前記音声入力装置から入力される歌唱者の音声の周波数解析を行うことで、その音声の周波数特性として、その音声の複数の周波数帯域毎の音圧レベルを算出する音声周波数特性算出手段と、前記出力周波数特性設定手段により設定された前記楽曲の演奏出力に係る周波数特性を、その楽曲の歌唱者の音声に対応して前記音声周波数特性算出手段により算出されたその音声の周波数特性に基づいて補正する出力周波数特性補正手段とを、備えたものであることから、前記楽曲の演奏出力に際して、前記音声入力装置から入力される歌唱者の音声を加味してその楽曲の演奏出力に係る周波数特性を設定することができる。すなわち、使用条件に適した音場を簡便に設定するカラオケ装置を提供することができる。
【０００９】
ここで、好適には、前記音声周波数特性算出手段により算出された音声の周波数特性を、その音声に対応する歌唱者と対応付けてデータベースに記憶させるものであり、前記出力周波数特性補正手段は、前記楽曲の演奏出力に際して、前記出力周波数特性設定手段により設定された周波数特性を、その楽曲の歌唱者に対応して前記データベースに記憶されたその歌唱者の音声の周波数特性に基づいて補正するものである。このようにすれば、前記楽曲の演奏出力に際して、その楽曲の歌唱者の音声の周波数特性を前記データベースから読み出して使用することで、好適且つ実用的な態様で前記楽曲の演奏出力に係る周波数特性を設定することができる。
【００１０】
また、好適には、前記出力周波数特性補正手段は、前記出力周波数特性設定手段により設定された演奏出力に係るゲインが相対的に大きい周波数帯域が、その楽曲の歌唱者の音声の音圧レベルが相対的に大きい周波数帯域に相当する場合には、その周波数帯域における演奏出力のゲインを低下させる補正を行うものである。このようにすれば、楽曲の演奏出力に係る周波数特性と、歌唱者の音声の周波数特性とで、相対的に大きい周波数帯域が重なることで、その周波数帯域の音が耳に障る等して逆に聞きづらくなることを好適に抑制することができる。
【００１１】
また、好適には、前記出力周波数特性補正手段は、前記出力周波数特性設定手段により設定された演奏出力に係るゲインが相対的に小さい周波数帯域が、その楽曲の歌唱者の音声の音圧レベルが相対的に小さい周波数帯域に相当する場合には、その周波数帯域における演奏出力のゲインを増加させる補正を行うものである。このようにすれば、楽曲の演奏出力に係る周波数特性と、歌唱者の音声の周波数特性とで、相対的に小さい周波数帯域が重なることで、その周波数帯域の音が小さすぎて聞きづらくなることを好適に抑制することができる。
【００１２】
また、好適には、前記出力周波数特性設定手段は、前記カラオケ装置が利用される環境においてそのカラオケ装置から出力された音情報を前記音声入力装置により集音し、その音情報の複数の周波数帯域毎の音圧レベルが予め定められた推奨周波数特性と一致するように前記演奏出力に係る周波数特性を設定するものである。このようにすれば、前記カラオケ装置が利用される環境に合わせて自動設定された前記楽曲の演奏出力に係る周波数特性を、歌唱者の音声の周波数特性に基づいて補正することができる。
【００１３】
また、好適には、前記楽曲の演奏出力の進行に応じて経時的に変化する複数の周波数帯域毎の音圧レベルを算出する楽曲周波数特性算出手段を備え、前記出力周波数特性補正手段は、前記出力周波数特性設定手段により設定された前記楽曲の演奏出力に係る周波数特性を、その楽曲の歌唱者の音声に対応して前記音声周波数特性算出手段により算出されたその音声の周波数特性及びその楽曲に対応して前記楽曲周波数特性算出手段により算出された周波数特性に基づいて補正するものである。このようにすれば、楽曲の経時的な周波数特性の変化を加味することで、前記楽曲の演奏出力に係る周波数特性を更にきめ細かく設定することができる。
【図面の簡単な説明】
【００１４】
【図１】本発明が好適に適用されるカラオケ装置の構成を例示するブロック線図である。
【図２】図１のカラオケ装置のＣＰＵに備えられた制御機能の要部を説明する機能ブロック線図である。
【図３】図１のカラオケ装置による出力周波数特性の設定について説明する図である。
【図４】図１のカラオケ装置において設定された演奏出力の周波数特性を補正する制御の一例について説明する図である。
【図５】図１のカラオケ装置において設定された演奏出力の周波数特性を補正する制御の他の一例について説明する図である。
【図６】図１のカラオケ装置により出力される楽曲の演奏進行に応じた各時点におけるその楽曲の周波数特性を表す曲線の推移の一例を示す図である。
【図７】図１のカラオケ装置のＣＰＵによる出力周波数特性設定制御の一例の要部を説明するフローチャートである。
【図８】図１のカラオケ装置のＣＰＵによる音声周波数特性算出制御の一例の要部を説明するフローチャートである。
【図９】図１のカラオケ装置のＣＰＵによる出力周波数特性補正制御の一例の要部を説明するフローチャートである。
【発明を実施するための形態】
【００１５】
以下、本発明の好適な実施例を図面に基づいて詳細に説明する。
【実施例】
【００１６】
図１は、本発明が好適に適用されるカラオケ装置１０の構成を例示するブロック線図である。この図１に示すように、本実施例のカラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、表示制御部２６及び入力制御部２８を介して前記ＣＰＵ１２に接続されたタッチパネルディスプレイ３０と、通信インターフェイス３６と、ＬＡＮインターフェイス３８と、無線通信部４０と、ビデオ出力端子４２を介して前記映像処理部２０に接続された映像表示装置であるディスプレイ４４と、オーディオ入力端子４６を介して前記音声処理部２２に接続された音声入力装置であるマイクロフォン４８と、オーディオ出力端子５０を介して前記音声処理部２２に接続された音声増幅装置であるアンプ５２と、そのアンプ５２に備えられた音声出力装置であるスピーカ５４とを、備えて構成されている。
【００１７】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４、タッチパネルディスプレイ３０、或いは電子早見本装置６８等により所定の楽曲（カラオケ演奏曲）が選曲入力された場合、その選曲入力された楽曲を歌唱者（選曲入力主体である利用者）のユーザＩＤと対応付けて前記ＲＡＭ１６等に設けられた予約曲テーブルに登録する選曲予約制御、その予約曲テーブルの演奏順に従って前記ハードディスク１８から前記ＲＡＭ１６に選曲されたカラオケ演奏曲の演奏情報及び歌詞情報（楽曲データ）を読み出す楽曲データ読出制御、楽曲の演奏進行に応じてそのＲＡＭ１６から前記音声処理部２２へ演奏情報を送信する演奏出力制御、その演奏出力制御に際して前記ＲＡＭ１６に展開された歌詞情報に基づいて歌詞文字映像を生成して前記映像処理部２０へ送信する歌詞文字映像出力制御、前記演奏出力制御に際して前記映像処理部２０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御に加え、後述する本実施例の出力周波数特性設定制御及び出力周波数特性補正制御等の各種制御を実行する。
【００１８】
前記映像処理部２０は、前記ディスプレイ４４に表示される画面（映像）の描画に係る各種制御を行う。例えば、前記ＣＰＵ１２から供給されるデータに基づいてグラフィックスメモリにそのデータを書き込み、そのデータを読み出すことによって前記ビデオ出力端子４２を介して前記ディスプレイ４４に所定の画面を表示させる制御を行う。具体的には、前記カラオケ装置１０による楽曲の演奏出力（カラオケ演奏）に際して、前記ＣＰＵ１２において生成された歌詞文字映像等の文字映像（テロップ）を出力させたり、前記ハードディスク１８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ４４に表示させたり、その歌詞文字映像を前記楽曲の演奏進行に応じて順次色替わり表示させる等の各種表示制御を行う。なお、本実施例においては、前記映像処理部２０により前記ディスプレイ４４の表示制御を行う一方、後述する表示制御部２６により前記タッチパネルディスプレイ３０（表示装置３２）の表示制御を行う態様について説明するが、前記映像処理部２０により前記タッチパネルディスプレイ３０の表示制御をも行う態様も考えられる。この態様において、前記表示制御部２６は必ずしも設けられなくともよい。
【００１９】
前記音声処理部２２は、ＦＭ音源やＰＣＭ音源等の各種音源を備え、前記カラオケ装置１０による音声出力に係る各種制御を行う。好適には、電子回路により音を合成し、各種音色を発生するシンセサイザ（synthesizer）を備えている。このシンセサイザは、前記ハードディスク１８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン４８から前記オーディオ入力端子４６を介して入力される利用者（演奏者）の歌声とミキシングされ、前記オーディオ出力端子５０を介して前記アンプ５２に供給されてそのアンプ５２により増幅されて前記スピーカ５４から出力される。
【００２０】
前記操作パネル２４は、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ３０は、画像（映像）を表示させると共に利用者の操作に応じて前記カラオケ装置１０への操作入力を行う装置であり、そのタッチパネルディスプレイ３０に所定の画像（映像）を表示させる表示装置３２と、利用者の指や図示しない備え付けのペン等による前記タッチパネルディスプレイ３０への接触により入力を行うタッチパネル３４とを、備えている。前記表示制御部２６は、前記ＣＰＵ１２から供給される情報に基づいて前記表示装置３２に表示される画面（映像）の描画を制御する映像処理部である。前記入力制御部２８は、前記タッチパネル３４により入力される操作入力情報を前記ＣＰＵ１２等に供給する入力処理部である。以上の構成を備えていることで、前記タッチパネルディスプレイ３０は、前記ディスプレイ４４とは別に第２の映像表示装置として機能すると共に、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２１】
前記カラオケ装置１０は、前記通信インターフェイス３６及びネットワーク接続端子５６を介して通信回線６０に接続されており、同様にその通信回線６０に接続された他の機器との相互間でその通信回線６０を介して情報の通信が可能とされている。前記通信回線６０は、例えば公衆電話回線、ＡＤＳＬ回線、或いは光ファイバ回線等から構成されるＷＷＷ（World Wide Web）等のインターネットに接続された広域情報通信網である。前記カラオケ装置１０は、好適には、前記通信回線６０を介して図示しないサーバ（ホスト装置）に接続されており、そのサーバから楽曲データ（カラオケデータ）、背景映像情報、及び曲間情報等のデジタルコンテンツ（Digital Contents）の配信を受け付けるものである。すなわち、前記カラオケ装置１０は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００２２】
前記ＬＡＮインターフェイス３８は、前記カラオケ装置１０をＬＡＮ接続端子６２を介してＬＡＮ（local area network）６４に接続するための接続器であり、そのように前記ＬＡＮ６４に接続されることで、前記カラオケ装置１０は、同様に前記ＬＡＮ６４に接続された電子早見本装置６８等の他の機器との間で情報の送受信が可能とされる。また、前記カラオケ装置１０が設置される店舗等に複数台のカラオケ装置が備えられている場合において、同様に前記ＬＡＮ６４に接続されたカラオケ装置相互間において情報の送受信が可能とされる。例えば、前記ＬＡＮ６４に接続されたアクセスポイント６６を介して受信される電子早見本装置６８からの選曲入力を受け付けて前記ＲＡＭ１６に設けられた予約曲テーブルに記憶したり、そのアクセスポイント６６を介して前記カラオケ装置１０から電子早見本装置６８へ所定の情報を送信したりというように、電波を介して前記カラオケ装置１０と電子早見本装置６８との間における相互の情報のやりとりが実行される。
【００２３】
前記無線通信部４０は、前記カラオケ装置１０と前記電子早見本装置６８等の入力装置との間の無線通信を行う。例えば、前記電子早見本装置６８等の入力装置から送信されるリモコン信号を受信するリモコン受信部として機能する。前記カラオケ装置１０と電子早見本装置６８との対応付け（くくりつけ）処理は、好適には、斯かるリモコン信号（赤外線信号）により前記無線通信部４０を介して行われる。すなわち、前記電子早見本装置６８は、それぞれ個別のシリアル番号を有しており、前記対応付け処理においては、例えばそのシリアル番号（例えば、下４桁）及び所定の接続コードを含む信号が接続通知として前記カラオケ装置１０へ送信され、前記無線通信部４０によりその接続信号を受信したカラオケ装置１０に対して前記電子早見本装置６８が対応付けられる。そのようにして前記カラオケ装置１０に対応付けられた電子早見本装置６８は、そのカラオケ装置１０の入力装置（遠隔操作装置）として機能し、その電子早見本装置６８から送信される信号が前記ＣＰＵ１２に供給されることで、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置６８と前記カラオケ装置１０との間の通信は、前記ＬＡＮ６４及びアクセスポイント６６等を介したＬＡＮ通信により行われる。また、本実施例においては、前記カラオケ装置１０に対応付け処理の行われた電子早見本装置６８等の入力装置もそのカラオケ装置１０の一部を構成するものであるとして以下の説明を行う。
【００２４】
前記ハードディスク１８には、カラオケ演奏曲を出力させるための多数の楽曲データ（カラオケ情報）を記憶する楽曲データベース７０及び利用者毎の音声の周波数特性を記憶する音声データベース７２（図２を参照）をはじめとする各種データベースが設けられている。前記楽曲データベース７０は、前記カラオケ装置１０により出力可能な楽曲にそれぞれ対応する多数（例えば、数万曲分）の楽曲データ（カラオケデータ）を記憶する。この楽曲データは、前記音声処理部２２（シンセサイザ）により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各楽曲に固有の選曲番号により識別される。また、前記楽曲データベース７０には、後述する出力周波数特性設定手段８２による出力周波数特性の設定に用いられる、ホワイトノイズやピンクノイズをデジタル符号化したデータが、前記楽曲データと同様に選曲番号を付されて記憶されている。
【００２５】
前記音声データベース７２は、前記カラオケ装置１０の利用者毎に、後述する音声周波数特性算出手段８０により算出された音声の周波数特性を、その利用者の識別情報であるユーザＩＤと対応付けて記憶する。この音声データベース７２に記憶される音声の周波数特性については、音声周波数特性算出手段８０の説明に併せて後述する。なお、本実施例においては、前記音声データベース７２が前記カラオケ装置１０のハードディスク１８に設けられた実施例について説明するが、この音声データベース７２は、必ずしも前記カラオケ装置１０のハードディスク１８に設けられたものでなくともよく、例えば、前記カラオケ装置１０と前記通信回線６０を介して接続されたサーバ装置に設けられたものであっても構わない。
【００２６】
図２は、前記カラオケ装置１０のＣＰＵ１２に備えられた制御機能の要部を説明する機能ブロック線図である。この図２に示す音声周波数特性算出手段８０は、音声入力装置である前記マイクロフォン４８から入力される歌唱者の音声（音声データ）に関して、よく知られた周波数解析アルゴリズムに従ってその音声の周波数解析を行うことで、その音声の周波数特性を算出する。具体的には、前記マイクロフォン４８から入力される歌唱者の音声に係る複数の周波数帯域（例えば、２０Ｈｚ〜２０ｋＨｚを均等に区分した４〜１００帯域程度の周波数帯域、以下の演奏出力に係る周波数特性等の説明において同じ）毎の音圧レベルを算出する。換言すれば、予め定められた複数の周波数帯域毎の、前記マイクロフォン４８から入力される歌唱者の音声（音圧）の強弱の相対関係としての周波数特性を算出する。前記音声周波数特性算出手段８０による音声の周波数解析において、前記マイクロフォン４８から入力される音声は、予め定められた楽曲（課題曲）の歌唱音声に対応するものであってもよいし、母音「あ」を長くのばす発声に対応する音声等の簡単なものであってもよい。この音声周波数特性算出手段８０により算出された周波数特性は、その音声に対応する歌唱者のユーザＩＤと対応付けられて前記音声データベース７２に記憶される。
【００２７】
出力周波数特性設定手段８２は、前記楽曲の演奏出力に係る周波数特性を設定する。具体的には、前記楽曲データベース７０に記憶された楽曲データ（ＭＩＤＩデータ）に基づいて前記音声処理部２２から出力される演奏音の出力に係る複数の周波数帯域毎のゲイン（レベル）を設定する。この複数の周波数帯域毎のゲインは、好適には、前記音声処理部２２に備えられたパラメトリックイコライザ及びグラフィックイコライザ等において設定される複数の周波数帯域毎の音圧レベル（音量）であるが、前記アンプ５２において楽曲の演奏音と歌唱音声とがそれぞれ異なる増幅率で増幅される構成においては、そのアンプ５２における楽曲の演奏音の増幅率に対応するものであってもよい。また、前記音声処理部２２及びアンプ５２とは別に、前記楽曲の演奏出力に係る周波数特性を変更するイコライザが設けられた構成では、そのイコライザにおいて設定されるものであってもよい。なお、前記出力周波数特性設定手段８２による設定対象となる周波数特性は、好適には、初期値（デフォルト値）においては複数の周波数帯域毎の調整を行わないものとされている。また、好適には、前記マイクロフォン４８から入力される音声に係る周波数帯域毎のゲインは調整せず、各周波数帯域毎に強弱をつけない。前記マイクロフォン４８から入力される音声に関して複数の周波数帯域毎のゲインを変更する制御を行うと、前記スピーカ５４から出力されるその音声が変に聞こえる（例えば、ヘリウムガスを吸った時のように自分の声ではないように聞こえる）おそれがあるからである。
【００２８】
前記出力周波数特性設定手段８２は、好適には、前記カラオケ装置１０が利用される環境においてそのカラオケ装置１０から出力された音情報を前記マイクロフォン４８により集音し、その音情報の複数の周波数帯域毎の音圧レベルが予め定められた推奨周波数特性と一致するように前記演奏出力に係る周波数特性を設定する。具体的には、前記カラオケ装置１０が利用される環境において、前記楽曲データベース７０に記憶されたピンクノイズ（単位周波数帯域に含まれる成分の強さが周波数に反比例する性質を持つ雑音）或いはホワイトノイズ（単位周波数帯域に含まれる成分の強さが周波数によらず一定である雑音）等を内容とするノイズ音を出力させ、前記マイクロフォン４８により集音されるそのノイズ音に対応する音情報を、よく知られた周波数解析アルゴリズムに従って周波数解析して複数の周波数帯域毎の音圧レベルを算出する。そして、図３に示すように、前記マイクロフォン４８により集音（入力）された音情報の周波数特性を示す曲線９０（図３では二点鎖線で示す）が、前記ハードディスク１８等に予め記憶された推奨周波数特性を示す曲線９２と一致するように前記楽曲の演奏出力に係る周波数特性を設定（変更）する。ここで、前記ノイズ音の集音に用いられるマイクロフォンとしては、前記カラオケ装置１０に備えられた歌唱用のマイクロフォン４８とは別のものが用いられてもよい。また、このマイクロフォンによる集音は、ユーザがカラオケ演奏に際して位置する場所で行われるのが好ましい。
【００２９】
図２に示す出力周波数特性補正手段８４は、前記出力周波数特性設定手段８２により設定された前記楽曲の演奏出力に係る周波数特性を、その楽曲の歌唱者の音声に対応して前記音声周波数特性算出手段８０により算出されたその音声の周波数特性に基づいて補正する。好適には、前記カラオケ装置１０による楽曲の演奏出力に際して、その楽曲の歌唱者（演奏主体）である利用者に対応して前記音声データベース７２に記憶された音声の周波数特性を読み出し、その読み出された音声の周波数特性に基づいて前記演奏出力に係る周波数特性を補正する。
【００３０】
前記出力周波数特性補正手段８４は、好適には、前記出力周波数特性設定手段８２により設定された演奏出力に係るゲインが相対的に大きい周波数帯域が、その楽曲の歌唱者の音声の音圧レベルが相対的に大きい周波数帯域に相当する場合には、その周波数帯域における演奏出力のゲインを低下させる補正を行う。換言すれば、前記出力周波数特性設定手段８２により設定された周波数特性と、前記マイクロフォン４８から入力される歌唱者の音声の周波数特性とで、相対的に大きい周波数帯域が重なる場合には、その周波数帯域における演奏出力のゲインを低下させる補正を行う。好適には、その周波数帯域を中心とする所定の周波数帯域（例えば、中心となる周波数帯域±規定の周波数帯域）における演奏出力のゲインを低下させる補正を行う。例えば、前記出力周波数特性設定手段８２により設定された周波数特性における極大値（ゲインが極大をとる周波数帯域）と、前記マイクロフォン４８から入力される歌唱者の音声の周波数特性における極大値（音圧レベルが極大をとる周波数帯域）とが、予め定められた複数の周波数帯域のうち同一の周波数帯域に含まれる場合、或いは各極大値相互間の周波数が予め定められた閾値未満である場合に、その周波数帯域における演奏出力のゲインを低下させる補正を行う。
【００３１】
図４は、前記音声周波数特性算出手段８０により算出された音声の周波数特性の一例を示す曲線９６（図４では一点鎖線で示す）と、前記出力周波数特性設定手段８２により設定された演奏出力の周波数特性の一例を示す曲線９８とを併せて示す図である。図４の曲線９４で表されるような出力周波数特性が設定されている場合に、前記マイクロフォン４８から図４の曲線９６で表されるような周波数特性の音声が入力された場合、図４に示すように、周波数帯ｆｂ1において相対的に大きい周波数帯域が重なるため、その周波数帯ｆｂ1の音が耳に障る等して逆に聞きづらくなってしまうおそれがある。そこで、前記出力周波数特性補正手段８４により、斯かる周波数帯ｆｂ1における演奏出力のゲインを、図４に破線で示すように低下させる補正を行うことにより、上記のような問題が発生することを好適に抑制でき、聞き心地のよい音場設定を行うことができるのである。
【００３２】
また、前記出力周波数特性補正手段８４は、好適には、前記出力周波数特性設定手段８２により設定された演奏出力に係るゲインが相対的に小さい周波数帯域が、その楽曲の歌唱者の音声の音圧レベルが相対的に小さい周波数帯域に相当する場合には、その周波数帯域における演奏出力のゲインを増加させる補正を行う。換言すれば、前記出力周波数特性設定手段８２により設定された周波数特性と、前記マイクロフォン４８から入力される歌唱者の音声の周波数特性とで、相対的に小さい周波数帯域が重なる場合には、その周波数帯域における演奏出力のゲインを増加させる補正を行う。好適には、その周波数帯域を中心とする所定の周波数帯域（例えば、中心となる周波数帯域±規定の周波数帯域）における演奏出力のゲインを増加させる補正を行う。例えば、前記出力周波数特性設定手段８２により設定された周波数特性における極小値（ゲインが極小をとる周波数帯域）と、前記マイクロフォン４８から入力される歌唱者の音声の周波数特性における極小値（音圧レベルが極小をとる周波数帯域）とが、予め定められた複数の周波数帯域のうち同一の周波数帯域に含まれる場合、或いは各極小値相互間の周波数が予め定められた閾値未満である場合に、その周波数帯域における演奏出力のゲインを増加させる補正を行う。
【００３３】
図５は、前記出力周波数特性設定手段８２により設定された演奏出力の周波数特性の一例を示す曲線９８と、前述した図４の音声の周波数特性を示す曲線９６とを併せて示す図である。この図５の曲線９８で表されるような出力周波数特性が設定されている場合に、前記マイクロフォン４８から図４の曲線９６で表されるような周波数特性の音声が入力された場合、図５に示すように、周波数帯ｆｂ2において相対的に小さい周波数帯域が重なるため、その周波数帯ｆｂ2の音が聞きづらくなってしまうおそれがある。そこで、前記出力周波数特性補正手段８４により、斯かる周波数帯ｆｂ2における演奏出力のゲインを、図５に破線で示すように増加させる補正を行うことにより、上記のような問題が発生することを好適に抑制でき、聞き心地のよい音場設定を行うことができるのである。
【００３４】
また、前記出力周波数特性補正手段８４は、好適には、前記マイクロフォン４８から入力される歌唱者の音声の周波数特性において極大となる周波数帯域における演奏出力に係るゲインを低下させる補正を行う。例えば、歌唱者が所謂ハスキーボイスである場合、前記マイクロフォン４８から入力される歌唱者の音声において、例えば３〜５ｋＨｚの周波数帯が抜けており、その周波数帯における声が特に聞こえづらくなっている。従って、その周波数帯域における演奏出力のゲインを低下させる補正を行うことで、聞き心地のよい音場設定を行うことができる。
【００３５】
図２に示す楽曲周波数特性算出手段８６は、前記楽曲の演奏出力の進行に応じて経時的に変化する複数の周波数帯域毎の音圧レベルを算出する。具体的には、前記楽曲に対応する楽曲データ（ＭＩＤＩデータ）における演奏開始から演奏終了までの所定時間毎（例えば、拍に対応するタイミング毎）の、その楽曲データに基づいて再生される演奏音に係る複数の周波数帯域毎の音圧レベルを算出する。図６は、前記楽曲周波数特性算出手段８６により算出された、前記楽曲の演奏出力の進行に応じた各時点におけるその楽曲の周波数特性を表す曲線１００の推移の一例を示す図である。前記楽曲データに基づく楽曲の演奏出力においては、出力に係る楽器の種類や各楽器の演奏音の音階が時々刻々と変化するため、その楽曲の演奏音に係る各周波数帯域毎の音圧レベルも演奏出力の進行に応じて経時的に変化してゆく。一方、その楽曲における各時点の周波数特性はそれぞれ所定の特性に定まる。すなわち、所定の楽曲に関して、図６に示すように、曲線１００ａで表される演奏出力時点ｔ１の演奏音に係る周波数特性（各周波数帯域毎の音圧レベル）、曲線１００ｂで表される演奏出力時点ｔ２の演奏音に係る周波数特性、曲線１００ｃで表される演奏出力時点ｔ３の演奏音に係る周波数特性、・・・というように、各時点における演奏音の周波数特性がそれぞれ定まる。前記楽曲周波数特性算出手段８６は、このように、前記楽曲の演奏出力の進行に応じて経時的に変化する各時点毎の演奏音に係る各周波数帯域毎の音圧レベルとしての周波数特性を算出する。また、この楽曲周波数特性算出手段８６により算出される各楽曲の演奏出力の進行に応じて経時的に変化する複数の周波数帯域毎の音圧レベルを前記ハードディスク１８等に設けられたデータベースに予め記憶させておいてもよい。
【００３６】
前記出力周波数特性補正手段８４は、前記出力周波数特性設定手段８２により設定された前記楽曲の演奏出力に係る周波数特性を、その楽曲の歌唱者の音声に対応して前記音声周波数特性算出手段８０により算出されたその音声の周波数特性及びその楽曲に対応して前記楽曲周波数特性算出手段８６により算出された周波数特性に基づいて補正する。換言すれば、前記楽曲の演奏出力の進行に応じて経時的に変化する各時点毎の周波数特性と、前記マイクロフォン４８から入力される音声の周波数特性とに基づいて、前記出力周波数特性設定手段８２により設定された演奏出力に係る周波数特性を補正する。斯かる制御では、前記カラオケ装置１０による楽曲の演奏出力制御と併行して、前記楽曲周波数特性算出手段８６により算出された周波数特性に基づく出力周波数特性の補正がリアルタイムで実行される。また、前記出力周波数特性補正手段８４は、好適には、予め前記楽曲周波数特性算出手段８６により算出されて前記データベースに記憶された各楽曲毎の演奏出力の進行に応じて経時的に変化する複数の周波数帯域毎の音圧レベルを読み出し、その読み出された情報に基づいて前記周波数特性の補正を行う。
【００３７】
前記出力周波数特性補正手段８４は、好適には、前記楽曲に対応して前記楽曲周波数特性算出手段８６により算出された周波数特性と、前記マイクロフォン４８から入力される歌唱者の音声の周波数特性とで、相対的に大きい周波数帯域が重なる場合には、その周波数帯域における演奏出力のゲインを低下させる補正を行う。好適には、その周波数帯域を中心とする所定の周波数帯域（例えば、中心となる周波数帯域±規定の周波数帯域）における演奏出力のゲインを低下させる補正を行う。例えば、前記楽曲周波数特性算出手段８６により算出された所定時点の演奏音に係る周波数特性における極大値（音圧レベルが極大をとる周波数帯域）と、前記マイクロフォン４８から入力される歌唱者の音声の周波数特性における極大値（音圧レベルが極大をとる周波数帯域）とが、予め定められた複数の周波数帯域のうち同一の周波数帯域に含まれる場合、或いは各極大値相互間の周波数が予め定められた閾値未満である場合に、その時点における、その周波数帯域における演奏出力のゲインを低下させる補正を行う。
【００３８】
また、前記出力周波数特性補正手段８４は、好適には、前記楽曲に対応して前記楽曲周波数特性算出手段８６により算出された周波数特性と、前記マイクロフォン４８から入力される歌唱者の音声の周波数特性とで、相対的に小さい周波数帯域が重なる場合には、その周波数帯域における演奏出力のゲインを増加させる補正を行う。好適には、その周波数帯域を中心とする所定の周波数帯域（例えば、中心となる周波数帯域±規定の周波数帯域）における演奏出力のゲインを増加させる補正を行う。例えば、前記楽曲周波数特性算出手段８６により算出された所定時点の演奏音に係る周波数特性における極小値（音圧レベルが極小をとる周波数帯域）と、前記マイクロフォン４８から入力される歌唱者の音声の周波数特性における極小値（音圧レベルが極小をとる周波数帯域）とが、予め定められた複数の周波数帯域のうち同一の周波数帯域に含まれる場合、或いは各極小値相互間の周波数が予め定められた閾値未満である場合に、その時点における、その周波数帯域における演奏出力のゲインを増加させる補正を行う。
【００３９】
図７は、前記カラオケ装置１０のＣＰＵ１２による出力周波数特性設定制御の一例の要部を説明するフローチャートであり、所定の周期で繰り返し実行されるものである。
【００４０】
先ず、ステップ（以下、ステップを省略する）ＳＡ１において、前記カラオケ装置１０における出力周波数特性の設定が行われるか否かが判断される。このＳＡ１の判断が否定される場合には、それをもって本ルーチンが終了させられるが、ＳＡ１の判断が肯定される場合には、ＳＡ２において、前記楽曲データベース７０に記憶された出力周波数特性設定用のノイズ音（ホワイトノイズやピンクノイズをデジタル符号化したデータ）が読み出され、そのノイズ音の演奏出力が開始される。次に、ＳＡ３において、前記マイクロフォン４８により集音されたそのノイズ音に対応する音情報が、よく知られた周波数解析アルゴリズムに従って周波数解析され、その音情報に係る複数の周波数帯域毎の音圧レベルが算出される。次に、ＳＡ４において、ＳＡ３にて算出される音情報の周波数特性が、前記ハードディスク１８等に予め記憶された推奨周波数特性と一致するように前記楽曲の演奏出力に係る周波数特性が設定された後、本ルーチンが終了させられる。
【００４１】
図８は、前記カラオケ装置１０のＣＰＵ１２による音声周波数特性算出制御の一例の要部を説明するフローチャートであり、所定の周期で繰り返し実行されるものである。
【００４２】
先ず、ＳＢ１において、前記マイクロフォン４８から入力される音声の周波数特性の算出（登録）が行われるか否かが判断される。このＳＢ１の判断が否定される場合には、それをもって本ルーチンが終了させられるが、ＳＢ１の判断が肯定される場合には、ＳＢ２において、前記マイクロフォン４８から入力される音声がよく知られた周波数解析アルゴリズムに従って周波数解析され、その音声に係る複数の周波数帯域毎の音圧レベルが算出される。次に、ＳＢ３において、ＳＢ２にて算出された音声の周波数特性が、利用者（マイクロフォン４８による音声の入力主体）のユーザＩＤと対応付けられて前記音声データベース７２に記憶された後、本ルーチンが終了させられる。
【００４３】
図９は、前記カラオケ装置１０のＣＰＵ１２による出力周波数特性補正制御の一例の要部を説明するフローチャートであり、所定の周期で繰り返し実行されるものである。
【００４４】
先ず、ＳＣ１において、前記カラオケ装置１０による所定の楽曲のカラオケ演奏が開始されるか否かが判断される。このＳＣ１の判断が否定される場合には、それをもって本ルーチンが終了させられるが、ＳＣ１の判断が肯定される場合には、ＳＣ２において、演奏開始に係る楽曲の歌唱者（予約曲テーブルにおいてその楽曲に対応付けられて記憶されたユーザＩＤに対応する利用者）に対応して前記音声データベース７２に記憶された音声の周波数特性が読み出され、前記ＲＡＭ１６等に展開される。次に、ＳＣ３において、演奏開始に係る楽曲の演奏出力の進行に応じて経時的に変化する各時点毎の周波数特性が算出される。次に、ＳＣ４において、前記カラオケ装置１０において設定された楽曲の演奏出力に係る周波数特性が、ＳＣ２にて読み出された歌唱者の音声の周波数特性及びＳＣ３にて算出された前記楽曲の各時点毎の周波数特性に基づいて補正された後、本ルーチンが終了させられる。
【００４５】
以上の制御において、ＳＢ１〜ＳＢ３が前記音声周波数特性算出手段８０の動作に、ＳＡ１〜ＳＡ４が前記出力周波数特性設定手段８２の動作に、ＳＣ４が前記出力周波数特性補正手段８４の動作に、ＳＣ３が前記楽曲周波数特性算出手段８６の動作に、それぞれ対応する。
【００４６】
このように、本実施例によれば、前記楽曲の演奏出力に係る周波数特性として、その演奏出力に係る複数の周波数帯域毎のゲインを設定する出力周波数特性設定手段８２（ＳＡ１〜ＳＡ４）と、音声入力装置である前記マイクロフォン４８から入力される歌唱者の音声の周波数解析を行うことで、その音声の周波数特性として、その音声の複数の周波数帯域毎の音圧レベルを算出する音声周波数特性算出手段８０（ＳＢ１〜ＳＢ３）と、前記出力周波数特性設定手段８２により設定された前記楽曲の演奏出力に係る周波数特性を、その楽曲の歌唱者の音声に対応して前記音声周波数特性算出手段８０により算出されたその音声の周波数特性に基づいて補正する出力周波数特性補正手段８４（ＳＣ４）とを、備えたものであることから、前記楽曲の演奏出力に際して、前記マイクロフォン４８から入力される歌唱者の音声を加味してその楽曲の演奏出力に係る周波数特性を設定することができる。すなわち、使用条件に適した音場を簡便に設定するカラオケ装置１０を提供することができる。
【００４７】
また、前記音声周波数特性算出手段８０により算出された音声の周波数特性を、その音声に対応する歌唱者と対応付けて前記音声データベース７２に記憶させるものであり、前記出力周波数特性補正手段８４は、前記楽曲の演奏出力に際して、前記出力周波数特性設定手段８２により設定された周波数特性を、その楽曲の歌唱者に対応して前記音声データベース７２に記憶されたその歌唱者の音声の周波数特性に基づいて補正するものであるため、前記楽曲の演奏出力に際して、その楽曲の歌唱者の音声の周波数特性を前記音声データベース７２から読み出して使用することで、好適且つ実用的な態様で前記楽曲の演奏出力に係る周波数特性を設定することができる。
【００４８】
また、前記出力周波数特性補正手段８４は、前記出力周波数特性設定手段８２により設定された演奏出力に係るゲインが相対的に大きい周波数帯域が、その楽曲の歌唱者の音声の音圧レベルが相対的に大きい周波数帯域に相当する場合には、その周波数帯域における演奏出力のゲインを低下させる補正を行うものであるため、楽曲の演奏出力に係る周波数特性と、歌唱者の音声の周波数特性とで、相対的に大きい周波数帯域が重なることで、その周波数帯域の音が耳に障る等して逆に聞きづらくなることを好適に抑制することができる。
【００４９】
また、前記出力周波数特性補正手段８４は、前記出力周波数特性設定手段８２により設定された演奏出力に係るゲインが相対的に小さい周波数帯域が、その楽曲の歌唱者の音声の音圧レベルが相対的に小さい周波数帯域に相当する場合には、その周波数帯域における演奏出力のゲインを増加させる補正を行うものであるため、楽曲の演奏出力に係る周波数特性と、歌唱者の音声の周波数特性とで、相対的に小さい周波数帯域が重なることで、その周波数帯域の音が小さすぎて聞きづらくなることを好適に抑制することができる。
【００５０】
また、前記出力周波数特性設定手段８２は、前記カラオケ装置１０が利用される環境においてそのカラオケ装置１０から出力された音情報を前記マイクロフォン４８により集音し、その音情報の複数の周波数帯域毎の音圧レベルが予め定められた推奨周波数特性と一致するように前記演奏出力に係る周波数特性を設定するものであるため、前記カラオケ装置１０が利用される環境に合わせて自動設定された前記楽曲の演奏出力に係る周波数特性を、歌唱者の音声の周波数特性に基づいて補正することができる。
【００５１】
また、前記楽曲の演奏出力の進行に応じて経時的に変化する複数の周波数帯域毎の音圧レベルを算出する楽曲周波数特性算出手段８６（ＳＣ３）を備え、前記出力周波数特性補正手段８４は、前記出力周波数特性設定手段８２により設定された前記楽曲の演奏出力に係る周波数特性を、その楽曲の歌唱者の音声に対応して前記音声周波数特性算出手段８０により算出されたその音声の周波数特性及びその楽曲に対応して前記楽曲周波数特性算出手段８６により算出された周波数特性に基づいて補正するものであるため、楽曲の経時的な周波数特性の変化を加味することで、前記楽曲の演奏出力に係る周波数特性を更にきめ細かく設定することができる。
【００５２】
以上、本発明の好適な実施例を図面に基づいて詳細に説明したが、本発明はこれに限定されるものではなく、更に別の態様においても実施される。
【００５３】
例えば、前述の実施例において、前記出力周波数特性補正手段８４は、例えば、前記楽曲データベース７０に記憶された楽曲データ（ＭＩＤＩデータ）に基づいて前記音声処理部２２から出力される演奏音を一括して、その演奏音の出力に係る複数の周波数帯域毎のゲインを補正するものであったが、本発明はこれに限定されるものではなく、前記ＭＩＤＩデータにおける各楽器に対応するトラック乃至チャンネル毎の出力特性を補正するものであってもよい。例えば、所定のトラック乃至チャンネルに対応する周波数特性において相対的に大きい周波数帯域が、その楽曲の歌唱者の音声の音圧レベルが相対的に大きい周波数帯域に相当する場合には、そのトラック乃至チャンネルのゲインを低下させる補正を行う等の態様が考えられる。
【００５４】
また、前述の実施例では、前記出力周波数特性設定手段８２による出力周波数特性の設定に関して、前記楽曲データベース７０に記憶された出力周波数特性設定用のノイズ音を出力させ、そのノイズ音を前記マイクロフォン４８により集音して解析することでその周波数特性が前記推奨周波数特性と一致するように設定を行う例を説明したが、前記ノイズ音を出力させて前記マイクロフォン４８による集音を実行することなく、予め定められた内部的な処理が実行されることでその出力特性が設定されるものであってもよい。このようにすれば、出力周波数特性の設定を実行する度に前記ノイズ音を出力させずに済み、ユーザがカラオケ演奏を行っている場合であっても演奏の合間に音場補正を実行できるという利点がある。
【００５５】
また、前述の実施例において、前記出力周波数特性設定手段８２は、前記ノイズ音の周波数特性が前記推奨周波数特性と一致するように自動的にその出力特性を変更するものであったが、例えば前記ディスプレイ４４に前記ノイズ音の周波数特性を示す曲線９０を表示させると共に前記推奨周波数特性を示す曲線９２を表示させ、マニュアル操作によりその出力特性を変更する態様であっても構わない。斯かる態様によっても、音場設定を行うために音響に関する専門的な知識を一切要せず、使用条件に応じた最適な音場を容易に実現できる。
【００５６】
また、前述の実施例では特に言及していないが、前記出力周波数特性設定手段８２は、カラオケボックス等の屋内利用環境における音場を設定するものであってもよいし、屋外利用環境における音場を設定するものであっても構わない。
【００５７】
その他、一々例示はしないが、本発明はその趣旨を逸脱しない範囲内において種々の変更が加えられて実施されるものである。
【符号の説明】
【００５８】
１０：カラオケ装置、４８：マイクロフォン（音声入力装置）、７２：音声データベース、８０：音声周波数特性算出手段、８２：出力周波数特性設定手段、８４：出力周波数特性補正手段、８６：楽曲周波数特性算出手段
【図１】
2014071138.tif 000003
【図２】
2014071138.tif 000004
【図３】
2014071138.tif 000005
【図４】
2014071138.tif 000006
【図５】
2014071138.tif 000007
【図６】
2014071138.tif 000008
【図７】
2014071138.tif 000009
【図８】
2014071138.tif 000010
【図９】
2014071138.tif 000011